(57)【要約】【課題】プリンタでのフィード適性が良好で、かつ、払込票の光学文字認識装置での処理が良好で、しかも資源の無駄にならない払込票付き配送伝票の提供。【解決手段】単位帳票内に、裏面にタック紙が設けられたワンパート形式の配送伝票部と、払込票部と、商品明細書部とが順に面状に連設されてなる払込票付き配送伝票において、前記商品明細書部裏面に前記タック紙との厚さ調整用のスペーサーシートを設ける。【選択図】  図１
2006116782.tif 000002
【特許請求の範囲】
【請求項１】
単位帳票内に、裏面にタック紙が設けられたワンパート形式の配送伝票部と払込票部と商品明細書部とが順に面状に連設されてなる払込票付き配送伝票であって、少なくとも前記商品明細書部裏面に前記タック紙との厚さ調整用のスペーサーシートが設けられていることを特徴とする払込票付き配送伝票。
【請求項２】
請求項１記載のスペーサーシートが払込票部の裏面に延出されてなることを特徴とする払込票付き配送伝票。
【請求項３】
請求項１記載のスペーサーシートが商品明細書部裏面に接着剤層を介して設けられていることを特徴とする払込票付き配送伝票。
【請求項４】
請求項１記載のスペーサーシートが商品明細書部裏面ならびに払込票部裏面に擬似接着構造を介して剥離可能に設けられていることを特徴とする払込票付き配送伝票。
【請求項５】
単位帳票内に、裏面にタック紙が設けられたワンパート形式の配送伝票部の一辺に対して、払込票部と商品明細書部とが面状に設けられた払込票付き配送伝票であって、少なくとも前記商品明細書部裏面に前記タック紙との厚さ調整用のスペーサーシートが設けられていることを特徴とする払込票付き配送伝票。
【請求項６】
請求項５記載のスペーサーシートが払込票部の裏面に延出されてなることを特徴とする払込票付き配送伝票。
【請求項７】
請求項５記載のスペーサーシートが商品明細書部裏面に接着剤層を介して設けられていることを特徴とする払込票付き配送伝票。
【請求項８】
請求項５記載のスペーサーシートが商品明細書部裏面ならびに払込票部裏面に擬似接着構造を介して剥離可能に設けられていることを特徴とする払込票付き配送伝票。
【請求項９】
請求項１から８何れか記載の払込票付き配送伝票において、配送伝票部、払込票部、及び商品明細書部は、ミシン目を介して分離可能に設けられていることを特徴とする払込票付き配送伝票。
【請求項１０】
請求項１から８何れか記載の払込票付き配送伝票において、払込票部は光学文字認識装置により読み取られる伝票であることを特徴とする払込票付き配送伝票。
【発明の詳細な説明】
【技術分野】
【０００１】
本発明は、通販業界を始めとして種々の業界での配送業務で使用される配送伝票に関し、特に配送伝票に対して商品明細書と払込票とが一体化された払込票付き配送伝票に関するものである。
【背景技術】
【０００２】
近年、ＥＤＩ（ Electronic data interchange )化の進展に伴い、一枚の伝票用紙上に複数の伝票を配列させ、各伝票に同時にプリンター印字したものを組とする１パート形式の配送伝票（以下、１パート配送伝票という）が多く利用されるようになってきた。
代表的な１パート配送伝票は、剥離紙、粘着剤層、タック紙基材の順に積層されてなるタック紙の前記粘着剤層の形成された面（タック紙裏面）に対して反対側の面（タック紙表面）に、接着剤層を介して配達票と貼付票とを面状に形成する伝票用紙が設けられ、少なくとも該配達票は該タック紙表面から剥離可能な構造を有する。
１パート配送伝票は上記のように一枚の伝票用紙上に配達票と貼付票が設けられているので、コンピュータで管理されている配送情報に基づき、お届け先情報、依頼元情報、その他バーコード等の管理用の情報などを、プリンター装置を用いて伝票上の所定個所に高速印字することが可能である。（例えば特許文献１参照）
【０００３】
使用に当たっては、事前に所定事項がプリンター印字された１パート配送伝票を用意し、当該１パート配送伝票を構成するタック紙裏面の剥離紙を剥がし、粘着剤層を介して所定の配送物に貼付する。配送業者は、当該配送物を受取人に渡した証しとして受取人に前記配達票へ受領印あるいはサインを施してもらい、これを受け取る。通常は受け取った配達票に付されているバーコードを用いてコンピュータで管理されている配送情報の消し込み処理などを行う。
特に、インターネットやＦＡＸ、ＯＣＲはがき等のメディアで申込を受け付ける通販業界では、顧客データがすでにデジタル化されているという背景から相性もよいため、他の業界以上に配送伝票の１パート化が進んでいる。これは、１パート配送伝票を導入することによって、帳票単価が下がるだけでなく、これまでの同時複写タイプの配送伝票ではドットインパクト方式に限定されていた印字方式が、様々な印字方式に展開できるようになったことも影響していると考えられる。
【０００４】
さて、その通販業界であるが、過去には配送伝票と商品明細書を別々に印字し、名寄せしながら、配送伝票と配送先をマッチングさせていた。例えばマッチングに際して共通のバーコード等を設けておき、２種の帳票を機械的にマッチングさせる方法もあるが、多くの場合は手作業による目視確認で行われており、人件費が多くかかっていた。
このような状況に鑑み開発された配送伝票一体型ピッキングリストと呼ばれる１パート配送伝票と商品明細書とを一体化したものが開発された。（例えば特許文献２参照）
【０００５】
【特許文献１】特開２００１−３５３９８７号公報
【特許文献２】特開２００２−３０７８６６号公報
【発明の開示】
【発明が解決しようとする課題】
【０００６】
上記特許文献２に見られるような１パート配送伝票と商品明細書とを一体化したものに、さらに払込票を一体化した払込票付き配送伝票についての市場要求がある。このような要求に沿って単純に、配送伝票部、商品明細書部、払込票を一体化すると、各部の層構成が異なるために一体化した帳票の両端部に厚みの差が生ずることになる。
従って、このような配送伝票部、商品明細書部、払込票を一体化した単位帳票をジグザグ折した連続帳票の両端部は上記段差が累積したものとなり、プリンター装置に掛けて印字する際の印字適性に欠けるという課題がある。
また、払込票は一般的に光学的文字認識装置による機械読み込みがなされる。このために、配送伝票部、商品明細書部、払込票を一体化したものは上記の課題に加えて光学的文字認識装置に対する機械処理適性に欠けるという課題がある。
本発明は、上記課題を解決するためになされたものであり、配送伝票部、商品明細書部、払込票を一体化した払込票付き配送伝票の印刷適性ならびに機械適性の改善を目的とするものである。
【課題を解決するための手段】
【０００７】
本発明の払込票付き配送伝票は、以下の各態様に記載の手段により上記の課題を解決するものである。
本発明の第１の態様は、単位帳票内に、裏面にタック紙（１０）が設けられたワンパート（１パート）形式の配送伝票部（１）と、払込票部（２）と、商品明細書部（３）とが順に面状に連設されてなる払込票付き配送伝票において、少なくとも前記商品明細書部（３）裏面に前記タック紙（１０）との厚さ調整用のスペーサーシート（１４）が設けられていることを特徴とする払込票付き配送伝票である。
【０００８】
本発明の第２の態様は、第１の態様に記載のスペーサーシート（１４）が払込票部（２）の裏面に延出されてなることを特徴とする払込票付き配送伝票である。
【０００９】
本発明の第３の態様は、第１の態様に記載のスペーサーシート（１４）が商品明細書部（３）裏面に接着剤層（１５）を介して設けられていることを特徴とする払込票付き配送伝票である。
本発明の第４の態様は、第１の態様に記載のスペーサーシート（１４）が商品明細書部（３）裏面ならびに払込票部（２）裏面に擬似接着構造（２０）を介して剥離可能に設けられていることを特徴とする払込票付き配送伝票である。
【００１０】
本発明の第５の態様は、単位帳票内に、裏面にタック紙（１０）が設けられたワンパート（１パート）形式の配送伝票部（１）の一辺に対して、払込票部（２）と商品明細書部（３）とが面状に設けられた払込票付き配送伝票において、少なくとも前記商品明細書部（３）裏面に前記タック紙（１０）との厚さ調整用のスペーサーシート（１４）が設けられていることを特徴とする払込票付き配送伝票である。
【００１１】
本発明の第６の態様は、第５の態様に記載のスペーサーシート（１４）が払込票部（２）の裏面に延出されてなることを特徴とする払込票付き配送伝票である。
【００１２】
本発明の第７の態様は、第５の態様に記載のスペーサーシート（１４）が商品明細書部（３）裏面に接着剤層（１５）を介して設けられていることを特徴とする払込票付き配送伝票である。
【００１３】
本発明の第８の態様は、第５の態様に記載のスペーサーシート（１４）が商品明細書部（３）裏面ならびに払込票部（２）裏面に擬似接着構造（２０）を介して剥離可能に設けられていることを特徴とする払込票付き配送伝票である。
【００１４】
本発明の第９の態様は、第１から第８の何れかの態様に記載の払込票付き配送伝票において、配送伝票部（１）、払込票部（２）、及び商品明細書部（３）は、ミシン目を介して分離可能に設けられていることを特徴とする払込票付き配送伝票である。
【００１５】
本発明の第１０の態様は、第１から第８の何れかの態様に記載の払込票付き配送伝票において、払込票部（２）は光学文字認識装置により読み取られる伝票であることを特徴とする払込票付き配送伝票である。
【発明の効果】
【００１６】
［１］本発明によれば、配送伝票部（１）、払込票部（２）、及び商品明細書部（３）からなる払込票付き配送伝票の内の商品明細書部（３）の裏面に、タック紙（１０）との厚さ調整用のスペーサーシート（１４）を設けことにより、少なくとも商品明細書部（３）の厚みが配送伝票部（１）の厚みと揃うので、プリンター装置との相性が改善され、当該伝票への印字適性が向上するという効果がある。
［２］本発明によれば、払込票（２）裏面にスペーサーシート（１４）を設けないか、あるいはスペーサーシート（１４）を除去できる構造なので、印字適性の向上に加えて、払込票（２）の光学的文字認識装置に対する相性も改善されるという効果がある。
【発明を実施するための最良の形態】
【００１７】
本発明の払込票付き配送伝票の最良の形態について図面を参照して説明する。
（第１の実施形態）
図１は本発明による払込票付き配送伝票の第１の実施形態を示す平面図、図２は図１のＡ−Ａ´線断面図、図３（ａ）は従来の払込票付き配送伝票の積み重ね性を示す模式図、図3（ｂ）は本発明による第１の実施形態の払込票付き配送伝票の積み重ね性を示す模式図である。
図１、図２において、１は配送伝票部、２は払込票部、３は商品明細書部、４は伝票基紙、５は剥離インキ層、６は横ミシン目、７はハーフカット、８、８ａならびに８ｂはスプロケットホール、９は縦ミシン目、１０はタック紙、１１はタック紙基材、１２は粘着剤層、１３は剥離紙、１４はスペーサーシート、１５は接着剤層、１６は折りミシン目、２０は剥離インキ層５と接着剤層１５による擬似接着構造、１００は配送伝票部１と込票部２と商品明細書部３が一体化されてなる第１の実施形態の払込票付き配送伝票を示している。
【００１８】
第１の実施形態の払込票付き配送伝票は、図１に示すように、連続帳票を折りミシン目１６により折り又は分離可能に区画した単位帳票内に、裏面にタック紙１０が設けられた１パート形式の配送伝票部１と、払込票部２と、商品明細書部３とが面状に設けられた払込票付き配送伝票において、配送伝票部１と払込票部２と商品明細書部３の並び順で各部が連設された形態のものである。配送伝票部１、払込票部２、及び商品明細書部３の各部は縦ミシン目９により容易に分離可能な構造になっている。なお、払込票部２は、例えばバーコードやＯＣＲ（Optical Character Reader：光学的文字認識装置）用の文字のような光学的に読み取り可能な表示部（図示せず）を有する伝票である。
図２に示すように、タック紙１０は、剥離紙１３、粘着剤層１２、タック紙基材１１の順に積層されてなる部材である。配送伝票部１は、タック紙１０を構成する粘着剤層１２の形成された面（タック紙裏面）に対して反対側の面（タック紙表面）に接着剤層５または擬似接着構造２０を介して設けられている。前記配送伝票部１には、図示しない配達票と貼付票が形成されており、少なくとも配達票はハーフカット７により前記タック紙表面から剥離可能な構造を有している。すなわち、配達票のように剥離する必要がある領域の裏面は剥離インキ層５と接着剤層１５とを積層してなる擬似接着構造２０になっている。このような構造は従来の１パート配送伝票と同様である。
使用に際しては、本発明の払込票付き配送伝票１００は、配送伝票部１裏面の剥離紙１３を剥がし、粘着剤層１２を介して所定の配送物に貼付する。
図２に示すように、商品明細書部３の裏面には、前記タック紙１０との厚さ調整用のスペーサーシート１４が接着剤層１５を介して設けられている。通常はスペーサーシート１４の材質は紙基材である。
【００１９】
（実施例１）
以下、第１の実施形態に示した本発明の払込票付き配送伝票１００の製造工程について詳細に説明する。
配送伝票部１、払込票部２及び商品明細書部３として加工される伝票基紙４の材質は、払込票部２の仕様によって決定される。その理由は、払込票部２には光学的に読み取り可能な表示部（バーコードやＯＣＲ用文字）が形成されており、これを確実に機械認識するには使用する用紙の厚み、光透過度、光反射率などの要求仕様を満たす必要がある。そこで、本実施例においては、伝票基紙４としては、米坪量８１．４グラム／平方メートルの上質紙を使用した。
製造工程は以下のとおりである。
（１）伝票基紙４となる用紙原反（ロール状）の表面にオフセット印刷方式で所定の文字絵柄などを印刷することで、伝票基紙４表面の所定領域に配送伝票部１、払込票部２、商品明細書部３となる印刷絵柄を形成する。
（２）次に上記伝票基紙４の配送票部１の所定領域（例えば配達票（図示せず）となる領域）の裏面のみに剥離インキ層５を印刷により形成する。なお、剥離インキとしては、例えばシリコーンを混合させた紫外線硬化型オフセットインキを使用する。
（３）次に、上記伝票基紙４にスプロケットホール８（両耳部）の形成、横ミシン目６（払込票部２の必要箇所）の形成、折ミシン目１６（単位帳票の境界）の形成、縦ミシン目９（配送伝票部１、払込票部２、商品明細書部３の境界）の形成、ハーフカット７（配送伝票部１の必要箇所）の形成をそれぞれ行う。
（４）以上の加工を施した伝票基紙４（配送伝票部１、払込票部２、商品明細書部３）をロール状に一旦巻き上げる。
（５）前記ロール状に巻き上げられた伝票基紙４（配送伝票部１、払込票部２、商品明細書部３）、予め用意したロール状のタック紙１０、ならびに予め用意したロール状のスペーサーシート１４をコレーター装置（丁合い装置）にそれぞれセットする。
なお、スペーサーシート１４に用いる用紙の総厚は、タック紙の総厚と同等になるものが好ましく、本実施例においては米坪量６４．０グラム／平方メートルの上質紙を用いた。  また、スペーサーシート１４に用いる用紙は、当該用紙の右サイドのみにスプロケットホール８ｂを加工し、ロールに巻き上げたものを用意する。
（６）コレーター装置によって配送伝票部１の裏面にタック紙１０を、商品明細書部３の裏面にスペーサーシート１４をそれぞれ貼付する。そのため、当該装置によってタック紙１０の表面ならびにスペーサーシート１４の表面に接着剤層１５の塗布が行われ、丁合いと同時にそれぞれが伝票基紙４の所定位置に貼付される。
なお、接着剤としては、例えばアクリル系樹脂、酢酸ビニル系樹脂、ＥＶＡ（Ethylene Vinyl Acetate）系樹脂、ウレタン系樹脂などのエマルジョンを使用する。
（７）乾燥工程を経て、折ミシン目１６からジグザグ状に折畳む。
以上のようにして得られた払込票付き配送伝票１００において、単位帳票１５００セットをジグザグ状に折畳んで積み重ねた結果、概ね図３（ｂ）の模式図に示すような状態になった。
【００２０】
このような状態のものをノンインパクトプリンター装置（昭和情報機器株式会社製のＳＸ７３００超高速漢字プリンタ装置（印字スピード：１６３００ライン／分））にセットし、印刷試験を行った結果、フィード適性、印字品質共に良好であった。
（比較例１）
他方、スペーサーシートを設けずにその他の構成が実施例１と同様の払込票付き配送伝票においては、概ね図３（ａ）の模式図に示すような状態になった。この払込票付き配送伝票において、実施例１と同じ条件で印刷試験を行った結果、フィードエラーやスタッキングエラー（排紙ジャムエラー）が発生した。
【００２１】
（第２の実施形態）
図４は本発明による払込票付き配送伝票の第２の実施形態を示す平面図、図５は図４のＣ−Ｃ´線断面図、図６は図４のＤ−Ｄ´線断面図である。
図４、図５、図６において２００は配送伝票部１の一辺に対して、込票部２の一辺と商品明細書部３の一辺とを面状に一体化してなる第２の実施形態の払込票付き配送伝票を示している。
また、図７（ａ）は従来の払込票付き配送伝票の積み重ね性を示す模式図、同図（ｂ）は本発明による第２の実施形態の払込票付き配送伝票の積み重ね性を示す模式図を示している。
第２の実施形態は、図４に示すように、連続帳票を折りミシン目１６により折り又は分離可能に区画した単位帳票内に、裏面にタック紙１０が設けられた１パート形式の配送伝票部１の一辺に対して、払込票部２と商品明細書部３とが面状に設けられた払込票付き配送伝票２００において、前記払込票部２の裏面と商品明細書部３の裏面の両方に前記タック紙１０との厚さ調整用のスペーサーシート１４が擬似接着構造２０を介して設けられている。  その他の構成は第1の実施形態と同様である。
第２の実施形態においては、擬似接着構造２０を介して剥離可能なスペーサーシート１４を用いる。このような構成とすることによって、払込票部２を光学的読取装置にセットする際には払込票部裏面のスペーサーシートを剥離して使用することが可能になる。以上のような構成を採用することによって払込票部２の裏面にもスペーサーシート１４を設けることが可能になり払込票部２の厚みも配送伝票部１と同等になるように調整できる。
以上のような第２の実施形態のものは第１実施形態のものに比べて一層印字適性が向上する。
【００２２】
（実施例２）
以下、第２の実施形態に示した本発明の払込票付き配送伝票２００の製造工程について詳細に説明する。
配送伝票部１、払込票部２及び商品明細書部３として加工される伝票基紙４、タック紙１０、剥離インキ、接着剤等は、実施例１と同様のものを使用した。
製造工程は以下のとおりである。
（１）伝票基紙４となる用紙原反（ロール状）の表面にオフセット印刷方式で所定の文字絵柄などを印刷することで、伝票基紙４表面の所定領域に配送伝票部１、払込票部２、商品明細書部３となる印刷絵柄を形成する。
（２）次に、上記伝票基紙４の配送伝票部１の所定領域（例えば配達票（図示せず）となる領域）の裏面と、払込票部２ならびに商品明細書部３に裏面全面に剥離インキ層５を印刷により形成する。
（３）次に、上記用意にスプロケットホール８（両耳部）の形成、横ミシン目６（払込票部２の必要箇所）の形成、折ミシン目１６（単位帳票の境界）の形成、縦ミシン目９（配送伝票部１、払込票部２、商品明細書部３の境界）の形成、縦ミシン目９ａ（払込票部２内の必要箇所）の形成、ハーフカット７（配送伝票部１の必要箇所）の形成をそれぞれ行う。
（４）以上の加工を施した伝票基紙４（配送伝票部１、払込票部２、商品明細書部３）をロール状に一旦巻き上げる。
（５）前記ロール状に巻き上げられた伝票基紙４（配送伝票部１、払込票部２、商品明細書部３）、予め用意したロール状のタック紙１０、ならびに予め用意したロール状のスペーサーシート１４をコレーター装置（丁合い装置）にそれぞれセットする。
また、スペーサーシート１４は、払込票部２と商品明細書３の両方を合わせた形状と概ね同等サイズにする。前記スペーサーシート１４となる用紙の右サイドのみにスプロケットホール８ｂを加工し、ロールに巻き上げたものを用意する。
（６）コレーター装置によって配送伝票部１の裏面にタック紙１０を、払込票部２と商品明細書部３の裏面には前記スペーサーシート１４をそれぞれ貼付する。そのため、当該装置によってタック紙１０の表面ならびにスペーサーシート１４の表面に接着剤層１５の塗布が行われ、丁合いと同時にそれぞれが伝票基紙４の所定位置に貼付される。
（７）乾燥工程を経て、折ミシン目１６からジグザグ状に折畳む。
以上のようにして得られた払込票付き配送伝票２００において、単位帳票１５００セットをジグザグ状に折畳んで積み重ねた結果、概ね図７（ｂ）の模式図に示すような状態になった。このような状態のものを実施例１で使用したものと同じノンインパクトプリンター装置にセットし、実施例１と同じ条件で印刷試験を行った結果、フィード適性、印字品質共に良好であった。
【００２３】
（比較例２）
他方、スペーサーシートを設けずにその他の構成が実施例２と同様の払込票付き配送伝票においては、概ね図７（ａ）の模式図に示すような状態になった。この払込票付き配送伝票において、実施例２と同じ条件で印刷試験を行った結果、フィードエラーやスタッキングエラー（排紙ジャムエラー）が生じた。
【００２４】
（変形例）
本発明は以上説明した実施の形態に限定されるものではなく種々の変形が可能であり、それらも本発明の均等の範囲内である。例えば以下のようなものが挙げられる。
（１）図８は第１の実施形態の変形例を示す払込票付き配送伝票３００の平面図、図９は図８のＥ−Ｅ´線断面図である。
第１の実施形態において、スペーサーシート１４を商品明細書３裏面にのみ接着剤層１５を介して設ける形態の例に示したが、例えば図８に示すようにスペーサーシート１４を払込票部２の裏面に延出するようにしてもよい。この場合は図９に示すように、スペーサーシート１４は商品明細書３裏面に形成される接着剤層とのみ接着しておく。従って払込票部２の裏面に延出される部分のスペーサーシートには接着剤層１５は存在しない。
（２）第２の実施形態において、スペーサーシート１４を擬似接着構造２０を介して払込票部２の裏面と商品明細書部３の裏面の両方に設けられている例を示したが、商品明細書３の裏面のみに擬似接着構造２０を設けるようにしてもよい。この場合は払込票部２の裏面に延出される部分のスペーサーシートには擬似接着構造２０も何も存在しない。
（３）第２の実施形態において、スペーサーシート１４を、擬似接着構造２０を介して払込票部２の裏面と商品明細書部３の裏面の両方に設ける例を示したが、商品明細書３の裏面のみに接着剤層１５を形成するようにしてもよい。この場合は払込票部２の裏面に延出される部分のスペーサーシートには接着剤層１５も擬似接着構造２０も何も存在しない。
（４）擬似接着構造２０として、伝票基紙４側に剥離インキ層５を、タック紙側に接着剤層１５を形成した例を示したが、伝票基紙４側に接着剤層１５を、タック紙側に剥離インキ層５を形成するようにしてもよい。
（５）擬似接着構造２０として、剥離インキ層５と接着剤層１５を積層する構成のものを例に示したが、擬似接着構造２０はこれに限定されるものではなく、例えば、異なる合成樹脂を溶融押出方式により押出して形成する積層樹脂フィルムを用いてもよい。
【図面の簡単な説明】
【００２５】
【図１】本発明による払込票付き配送伝票の第１の実施形態を示す平面図である。
【図２】図１のＡ−Ａ´線断面図である。
【図３】（ａ）は従来の払込票付き配送伝票の積み重ね性を示す模式図、同図（ｂ）は本発明による第１の実施形態の払込票付き配送伝票の積み重ね性を示す模式図である。
【図４】本発明による払込票付き配送伝票の第２の実施形態を示す平面図である。
【図５】図４のＣ−Ｃ´線断面図である
【図６】図４のＤ−Ｄ´線断面図である。
【図７】（ａ）は従来の払込票付き配送伝票の積み重ね性を示す模式図、同図（ｂ）は本発明による第２の実施形態の払込票付き配送伝票の積み重ね性を示す模式図である。
【図８】本発明による払込票付き配送伝票の第１の実施形態の変形例を示す平面図である。
【図９】図８のＥ−Ｅ´線断面図である。
【符号の説明】
【００２６】
１  ・・・  配送伝票部
２  ・・・  払込票部
３  ・・・  商品明細書部
４  ・・・  伝票基紙
５  ・・・  剥離インキ層
６  ・・・  横ミシン目
７  ・・・  ハーフカット
８、８ａ、８ｂ  ・・・  スプロケットホール
９、９ａ  ・・・  縦ミシン目
１０  ・・・  タック紙
１１  ・・・  タック紙基材
１２  ・・・  粘着剤層
１３  ・・・  剥離紙
１４、１４ａ  ・・・  スペーサーシート
１５  ・・・  接着剤層
１６  ・・・  折りミシン目
２０  ・・・  擬似接着構造
１００、２００、３００  ・・・  払込票付き配送伝票
【図１】
2006116782.tif 000003
【図２】
2006116782.tif 000004
【図３】
2006116782.tif 000005
【図４】
2006116782.tif 000006
【図５】
2006116782.tif 000007
【図６】
2006116782.tif 000008
【図７】
2006116782.tif 000009
【図８】
2006116782.tif 000010
【図９】
2006116782.tif 000011